(57)【要約】【課題】地震時のショックにも容易に剥がれることなく、更に部屋の美観を損なうことのない、壁際紐張り体張り具、この壁際紐体張り具を用いた建築物の壁体構造、及びこの建築物の壁体構造を利用した家具転倒防止構造を提供する。【解決手段】自動巻き戻し可能なように回転付勢されたボビン９に巻回された紐体１１を収納したケース４と、該ケースの一端面に前記紐体１１の先端に設けたつまみ１０を係止し且つ該つまみを摘んで引き出し自在となるようにガイドする所定長さを有する中穴突起５とを備えた紐体引出金具２と、取付ベース板１８の一端面に基部が固定された所定長さを有する突起１９の先端に前記紐体１１の先端のつまみ１０を前記回転付勢に抗して着脱自在に係止する係止部２１が設けられた係止金具３とを具備した壁際紐体張り具１とする。【選択図】図５
2007143683.tif 000002
【特許請求の範囲】
【請求項１】
自動巻き戻し可能なように回転付勢されたボビンに巻回された紐体を収納したケースと、該ケースの一端面に前記紐体の先端に設けたつまみを係止し且つ該つまみを摘んで引き出し自在となるようにガイドする所定長さを有する中穴突起とを備えた紐体引出金具と、取付ベース板の一端面に基部が固定された所定長さを有する突起の先端に前記紐体の先端のつまみを前記回転付勢に抗して着脱自在に係止する係止部が設けられた係止金具とを具備したことを特徴とする壁際紐体張り具。
【請求項２】
前記請求項１の紐体引出金具のケースの一端面を建築物の壁体の裏面側の桟材に固定して前記中穴突部を前記壁体を貫通して壁体表面に突出するように設置し、前記請求項１の係止金具の一端面を建築物の壁体の前記紐体引出金具のケースを固定した位置から所定距離だけ離れた壁体の裏面側の桟材に固定してその先端に前記係止部を有する突部を前記壁体を貫通して壁面表面に突出するように設置したことを特徴とする建築物の壁体構造。
【請求項３】
前記請求項２の建築物の壁体構造において、前記紐体引出金具の壁体表面から突出している中穴突出部に係止しているつまみをボビンの回転付勢に抗して引き出して前記係止金具の突部の係止部に係止して紐体を壁際に張設し、この張設した紐体と家具の裏面に固定している家具側金具とを連結金具によって着脱自在に連結したことを特徴とする家具転倒防止構造。
【発明の詳細な説明】
【技術分野】
【０００１】
この発明は、建築物の壁際に紐体を張る壁際紐体張り具、この壁際紐体張り具を用いた建築物の壁体構造、及びこの建築物の壁体構造を利用した家具転倒防止構造に関する。
【背景技術】
【０００２】
従来の家具転倒防止装置は、建築物の壁面に接着剤で線を接着して、この線に一端側を家具に固定している取付け具の他端に形成しているフックを引掛けるようにしたものがある。このフックを引掛け易いようにするために、線を接着している壁面の一部を切欠いてフック取付口を等間隔に設け、線の裏側にフックが回り込んで引掛け易くしている構成のものが提案されている（例えば、特許文献１）。
【０００３】
【特許文献１】実用新案登録番号第３０４６８９３号公報
【発明の開示】
【発明が解決しようとする課題】
【０００４】
しかしながら、上記従来技術によると、線を壁面に接着剤で接着して固定しているので、線が室内にいる人から見ることができることから、部屋の美観を損なうという問題点がある。また、接着剤の強度が弱いときには、地震時のショックで容易に線が壁面から剥がれるという問題点がある。更に又、フック取付口を多数設けておかないと、家具を部屋の任意の位置に設置できなくなるが、そうすれば、フック取付口が室内にいる人から見ることができるので、更に部屋の美観を損なうという問題点が生じる。
【課題を解決するための手段】
【０００５】
この発明は、上記事情に鑑みてなされたものであって、その手段とするところは、請求項１においては、自動巻き戻し可能なように回転付勢されたボビンに巻回された紐体を収納したケースと、該ケースの一端面に前記紐体の先端に設けたつまみを係止し且つ該つまみを摘んで引き出し自在となるようにガイドする所定長さを有する中穴突起とを備えた紐体引出金具と、取付ベース板の一端面に基部が固定された所定長さを有する突起の先端に前記紐体の先端のつまみを前記回転付勢に抗して着脱自在に係止する係止部が設けられた係止金具とを具備した壁際紐体張り具としたことにある。
【０００６】
請求項２においては、前記請求項１の紐体引出金具のケースの一端面を建築物の壁体の裏面側の桟材に固定して前記中穴突部を前記壁体を貫通して壁体表面に突出するように設置し、前記請求項１の係止金具の一端面を建築物の壁体の前記紐体引出金具のケースを固定した位置から所定距離だけ離れた壁体の裏面側の桟材に固定してその先端に前記係止部を有する突部を前記壁体を貫通して壁面表面に突出するように設置した建築物の壁体構造としたことにある。
【０００７】
請求項３においては、前記請求項２の建築物の壁体構造において、前記紐体引出金具の壁体表面から突出している中穴突出部に係止しているつまみをボビンの回転付勢に抗して引き出して前記係止金具の突部の係止部に係止して紐体を壁際に張設し、この張設した紐体と家具の裏面に固定している家具側金具とを連結金具によって着脱自在に連結した家具転倒防止構造としたことにある。
【発明の効果】
【０００８】
上記請求項１の発明によると、紐体引出金具と係止金具の２つの部品によって壁際紐体張り具を形成するので、この２つの部品をセットにして建築物の建築現場へ持参し、壁体を施工する際にこれらの部品を取付けることが簡単に行える。すなわち、この２つの部品によって、必要な時に壁体の表面から所定の距離を開けて紐体を張ることが出来、不要な時には目立たないように収納できるのである。この壁際紐体張り具は、請求項２の建築物の壁体構造及び請求項３の家具転倒防止構造を形成する最も基礎となる部材である。
【０００９】
上記請求項２の発明によると、前記した壁際紐体張り具を建築物の壁体に取付けた状態としてあるので、その建築物を使用するに当って、家具転倒防止装置が必要な時は、壁体表面から突出している中穴突出部に係止しているつまみをボビンの回転付勢に抗して引き出して係止金具の突部の係止部に係止して、壁体の表面の壁際に紐体を張設することができるので、これに家具の裏面の家具側金具とを連結金具によって連結するだけでよく、簡単である。そして、家具転倒防止装置として使用しない時には、つまみを引張り出すことなく中穴突出部に係止しておけば、室内の人からも見栄えがよく、室内の美観を損なうことがない。このような建築物の壁体構造を形成しておくことによって、建築物の付加価値が向上する。
【００１０】
上記請求項３の発明によると、壁際に張設した紐体に家具の裏側に固定している家具側金具を連結金具によって連結するだけの作業で家具転倒防止を図ることができる。紐体は壁体の裏側で桟材に堅固に固定されているので、紐体が地震による家具の激しい動きでもって壁体と離反する方向へ移動しようとしても動かず、従って、家具が転倒することを防止することができる。
【発明を実施するための最良の形態】
【００１１】
この発明を実施するための最良の実施形態について以下図に基づいて説明する。まず、請求項１に係る壁際紐体張り具１の実施形態を、図１乃至図３に基づいて説明する。この壁際紐体張り具１は、紐体引出し金具２と、係止金具３を基本構成とする。紐体引出し金具２は、図２に現われているように、ボックス形のケース４と、このケース４の一端面から突出した所定長さを有する中穴突起５と、前記ケース４の周囲の取付ベース板６と、前記ケース４内に両端を回転自在に固定され且つコイルバネなどの弾性体７によって所定方向に回転付勢された軸８に固定されているボビン９と、該ボビン９に一端から巻回され先端が前記中穴突起５の中を通って外部へ出てつまみ１０を固定している紐体１１とから構成されている。
【００１２】
前記つまみ１０はピン形状を有しており、棒部１０ａが前記紐体１１の先端と固定され頭部１０ｂが中穴突起５の先端に前記回転付勢の力によって引張られるようにして係止している。尚、必要に応じて中穴突起５の内側には鍔部１２が挿入されている。前記中穴突起５の長さは取付ける建築物の壁体１３の厚み以上として、取付けた際に、つまみ１０が壁体１３の表面から出ている状態となるようにしている。前記ケース４の周囲に形成した取付ベース板１４は壁体１３を取付けている桟材１５などにビス１６を用いて壁体１３の裏面側で固定するためのものである。前記鍔部１２は壁体１３に形成した穴１７に中穴突起５を壁体１３の裏面側から差し込んだ状態において壁体１３の表面側から差し込むことで、壁体１３へのケース４の取付を堅固なものとしている。
紐体１１としては、ワイヤー、チェーンなどが好適であるが、その他の素材からなるものであってもよい。又、壁体１３としては石膏ボードの他種々のボードや板材その他の材料からなるものであってもよい。
【００１３】
前記係止金具３は、取付ベース１８の壁体１３の裏面側当接面である一端面から所定長さの突起１９を固定し、この突起１９の先端頂部２０に前記つまみ１０を係止する係止部２１を設けたものである。この取付ベース板１８は壁体１３を取付けている桟材１５などにビス１６を用いて壁体１３の裏面側において固定するためのものである。また、前記係止部２１は、前記つまみ１０の形状に合わせて円形の刳り貫き部を有している。
【００１４】
尚、図４に示すように、必要に応じて前記紐体引出し金具２と係止金具３の中間において、壁際に沿って引き出された紐体１１を支えるための中継金具２２を用いてもよい。この中継金具２２は、取付ベース板２３の壁体１３の裏面側当接面の中央部に所定長さの突起２４を固定し、この突起２４の先端頂部２５に紐体１１を通過支持する通し穴２６を固定したものである。これによって、紐体引出し金具２と係止金具３の間隔が多少大きい場合であっても、紐体１１が途中でたるむことなくほぼ水平方向に支持されることになる。
【００１５】
上記の壁際紐体張り具１を壁体１３に取付けするには、図２、図５によく表われているように、まず、壁体１３を固定する以前に、壁体１３の裏面側にある桟材１５に紐体引出し金具２と係止金具３と必要に応じて中継金具２２をそれぞれの取付ベース板６、１４、２３、の釘穴２７からビス１６を用いて固定する。このとき、それぞれの中穴突起５、突起１９、突起２４は壁体１３方向を向くようにしておく。
そして次に、壁体１３を前記桟材１５あるいは図外の構造材に固定するが、この時には、前記中穴突起５や突起１９、２４が位置する箇所にはあらかじめそれらが挿通する穴１７を開けておいて、この穴１７にそれらを挿通するようにして固定する。これによって、壁体１３の表面側には、図６に示すように、それぞれの中穴突起５、突起１９、２４の先端頂部に係止、あるいは固定しているつまみ１０、係止嵌合部２１、通し穴部２６が現われることになるが、これらは直径が小さいものであるから、壁体１３の表面にあっても目立つこと少ないので、室内の美観を損なうことはほとんど生じない。
【００１６】
このような建築物の壁体構造を形成したものを家具転倒防止具１として使用するには、つまみ１０を手で持って弾性体７の回転付勢の力に抗して壁体１３の表面側から紐体１１を壁際に沿って引張り出してから、つまみ１０を係止金具３の突起１９の先端頂部２０に固定している係止部２１に引掛けて固定する。このとき、紐体１１は弾性体７によって引張られているので、外れることはない。又、必要に応じて、この紐体１１の中間部分を中継金具２２の通し穴部２６に挿入しておくことによって、紐体１１へかかる壁体１３と反対方向への力に対する強度を向上させることができる。この中継金具２２の使用個数は、家具２８の種類、例えば、大きさ、重量、材質、形状等に応じて自由に選択することができる。
【００１７】
次に、図７に示すような、家具側金具２９をタンスなどの転倒防止を図りたい家具２８の裏面側に必要な個数を略同一高さ位置になるように固定する。この家具側金具２９は、この実施例においては、取付片３０の上端縁を折り曲げた係止片３１に差し込み穴３２を形成してなるものである。取付片３０に釘穴２７を多く形成しておくことによって、家具３０の裏面におけるネジや釘が最も効く箇所を選択できる利点がある。また、家具３０の裏面におけるネジや釘が最も効く位置を探す範囲を拡大するために係止片３１を下方に向けて使用することもできる。家具側金具２９の構造は上記構成に限定されることなくその他の構成であってもよい。このような準備の整った家具２８を壁体１３の表面に近づけて、紐体１１と家具側金具２９とを近接させる。これらはほぼ同一高さとなるようにあらかじめ取付けられているので、これらを連結金具３３によって連結する。この連結金具３３は図９に示すように、矩形の板材を２つに折り曲げて差し込み片３４と止め片３５を形成し断面が略Ｕ字型となるように成形したその折り曲げ部にリング３６を固定したものである。この連結金具３３の差し込み片３４を前記差し込み穴３２に差し込み、止め片３５と差し込み片３４の間に紐体１１を入れることで、家具２８と紐体１１とが固定される。
壁体１３の表面と家具２８の裏面は接近しているので、連結金具３３の取付けの際には、図１０に示すように、ドライバー３７の先端にリング３６を差し込んでから、ドライバー３７のような先の細い棒状のものを壁体１３の表面と家具２８の裏面の隙間に入れて上方から下方へと下せば、容易に連結することが可能である。コーナー壁際の場合には、先に差し込んでから家具２８を横方向にずらせるようにすれば容易に行える。家具２８と壁体１３と連結金具３３の取付状態は、図１１に示すように、家具２８と壁体１３の表面の隙間に連結金具３３が入り込んで家具側金具３０と紐体１１とが連結される。
【００１８】
家具２８と紐体１１の連結を解除する場合には、前述と逆に、連結金具３３のリング３６にドライバー３７の先端を差し込んでこれらを上方へ持ち上げるだけでよい。そして、家具２８を壁体１３の表面から離反させる。更に、紐体１１が目障りである場合には、つまみ１０を係止部２１の引掛けから解除して、又、紐体１１を中継金具２２の通し穴部２６から外して、弾性体７の回転付勢の力によってボビン９に紐体１１を巻き戻せば、つまみ１０は紐体引出し金具２の中穴突起５の先端に係止した元の状態となる。
【００１９】
以上の実施例においては、壁際紐体張り具１を壁体に設けて家具転倒防止具として用いた例について説明したが、例えば、天井に設けて、ハンガーや洗濯物をぶら下げるのにも応用できる。従って、ここで言うところの壁体は、天井壁をも含むものである。
【図面の簡単な説明】
【００２０】
【図１】紐体引出し金具の斜視図。
【図２】紐体引出し金具の取付断面図。
【図３】係止金具の斜視図。
【図４】中継金具の斜視図。
【図５】紐体引出し金具と係止金具の取付断面図。
【図６】建築物の壁体に形成された穴の位置説明図。
【図７】家具側金具の斜視図。
【図８】家具の裏面側と壁体の表面側説明図。
【図９】連結金具の斜視図。
【図１０】連結金具の取付説明図。
【図１１】家具転倒防止具を用いた家具と紐体との断面係合説明図。
【符号の説明】
【００２１】
１      壁際紐体張り具
２      紐体引出し金具
３      係止金具
４      ケース
５      中穴突起
６      取付ベース板
７      弾性体
９      ボビン
１０    つまみ
１１    紐体
１３    壁体
１４    取付けベース板
１５    桟材
２２    中継金具
２８    家具
２９    家具側金具
３０    取付片
３３    連結金具
【図１】
2007143683.tif 000003
【図２】
2007143683.tif 000004
【図３】
2007143683.tif 000005
【図４】
2007143683.tif 000006
【図５】
2007143683.tif 000007
【図６】
2007143683.tif 000008
【図７】
2007143683.tif 000009
【図８】
2007143683.tif 000010
【図９】
2007143683.tif 000011
【図１０】
2007143683.tif 000012
【図１１】
2007143683.tif 000013